(57)【特許請求の範囲】
【請求項１】
一端側で箱体に対して回動自在に枢支する枢支部が設けられるとともに箱体の開口を閉じた状態で係止固定される引掛部が他端側に設けられ、且つ枢支部とは反対側の端面に箱体側へ延出する縁片を備えた扉に把手を取着する把手の取着構造において、扉の縁片に把手が外側から挿通される把手挿通孔が形成され、把手は、把手挿通孔に挿通されて扉の内側面に臨む把手本体と、この把手本体に連設されて把手挿通孔の周縁近傍を外側から覆う鍔部とを具備して成り、引掛部は、把手本体の両側面に設けられた装着部に各々扉の内側から装着される一対の把手固定部材に設けられ、これら一対の把手固定部材と鍔部との間で扉の縁片が挟持されることを特徴とする把手の取着構造。
【請求項２】
把手本体に設けられる装着部はスライド溝から成り、このスライド溝に挿入される挿入片が把手固定部材に形成され、把手本体のスライド溝内に挿入されて挿入片と鍔部との間に狭持される突起が扉の把手挿通孔の端縁から突設されることを特徴とする請求項１記載の把手の取着構造。
【請求項３】
一対の把手固定部材が各々同一形状に形成されたことを特徴とする請求項１又は２記載の把手の取着構造。
【請求項４】
把手固定部材を把手本体の装着部に装着した状態で扉の内側面に当接する当接部が把手固定部材に設けられたことを特徴とする請求項１又は２又は３記載の把手の取着構造。
【請求項５】
把手挿通部に連通する切欠部が扉の前面側に形成されるとともに、把手本体が切欠部に合わせて切り込み形成され、把手本体との間で切欠部の端縁近傍を挟むように覆う保護片が鍔部に設けられたことを特徴とする請求項１〜４の何れかに記載の把手の取着構造。
【発明の詳細な説明】
【０００１】
【発明の属する技術分野】
本発明は、箱体の開口を塞ぐ扉に取着されて扉を開閉操作する把手の取着構造に関するものである。
【０００２】
【従来の技術】
箱体の開口を開閉自在に閉じる扉に把手を取着する構造としては、従来、図９に示すようなものがある（実公昭５８−２０８２号公報参照）。このものは、箱体８０の開口を塞ぐ扉８１がその一端側で箱体８０に開閉自在に枢支され、扉８１の他端側（自由端側）を全幅にわたって切り欠き、この切欠部８１ａに断面形状略逆Ｌ形の把手８２が取着されている。把手８２の内部には支片８３が突設されており、箱体８０に設けた係合部８４と係合する引掛部８５を有する挿入体８６が、支片８３と把手８２の上壁８２ａとの間に形成される隙間に挿入係止され、さらに扉８１の切欠部８１ａの先端部分が把手８２の上壁８２ａと突片（図示せず）との間に圧入されて挿入体８６の抜け止めが図られている。なお、把手８２はねじ（図示せず）によって扉８１に固定される。
【０００３】
【発明が解決しようとする課題】
ところが、上記従来の取着構造においては、把手８２の上壁８２ａと支片８３の間に形成される隙間に挿入体８６を挿入係止し、扉８１の切欠部８１ａの先端部分を把手８２の上壁８２ａと突片との間に圧入して挿入体８６の抜け止めを行い、さらに把手８２をねじによって扉８１に固定しているので、把手を扉に取着するのに、ねじを締め付ける作業が必要となって挿入体及び把手を扉に取着する作業が煩わしいという問題があった。また、把手８２を取着するために扉８１の端部（縁片）を幅方向にわたって完全に切り欠いているので、扉８１の強度が低下するという問題があった。
【０００４】
本発明は上記問題に鑑みて為されたものであり、その目的とするところは、把手の扉への取着作業が容易となるとともに、扉の強度を確保することができる把手の取着構造を提供することにある。
【０００５】
【課題を解決するための手段】
請求項１の発明は、上記目的を達成するために、一端側で箱体に対して回動自在に枢支する枢支部が設けられるとともに箱体の開口を閉じた状態で係止固定される引掛部が他端側に設けられ、且つ枢支部とは反対側の端面に箱体側へ延出する縁片を備えた扉に把手を取着する把手の取着構造において、扉の縁片に把手が外側から挿通される把手挿通孔が形成され、把手は、把手挿通孔に挿通されて扉の内側面に臨む把手本体と、この把手本体に連設されて把手挿通孔の周縁近傍を外側から覆う鍔部とを具備して成り、引掛部は、把手本体の両側面に設けられた装着部に各々扉の内側から装着される一対の把手固定部材に設けられ、これら一対の把手固定部材と鍔部との間で扉の縁片が挟持されることを特徴とし、ねじを使わずに把手を扉に取着することができて取着作業が容易になり、しかも、把手を取着するための把手挿通孔は扉の縁片のごく一部に形成すればよいから、従来例に比較して扉の強度を上げることが可能となる。
【０００６】
請求項２の発明は、請求項１の発明において、把手本体に設けられる装着部はスライド溝から成り、このスライド溝に挿入される挿入片が把手固定部材に形成され、把手本体のスライド溝内に挿入されて挿入片と鍔部との間に狭持される突起が扉の把手挿通孔の端縁から突設されることを特徴とし、スライド溝内に挿入されて挿入片と鍔部との間に狭持される突起に把手固定部材の挿入片が当接することとなり、把手を扉に強固に取着することができる。
【０００７】
請求項３の発明は、請求項１又は２の発明において、一対の把手固定部材が各々同一形状に形成されたことを特徴とし、一対の把手固定部材を把手本体のどちら側の装着部にも装着することが可能となり、把手の取着作業がさらに容易になるとともに部品点数の削減によるコストダウンが図れる。
請求項４の発明は、請求項１又は２又は３の発明において、把手固定部材を把手本体の装着部に装着した状態で扉の内側面に当接する当接部が把手固定部材に設けられたことを特徴とし、扉を閉じて引掛部を係止固定する際に引掛部にかかる押圧力を当接部を介して扉で受けることができ、把手の変形が防止できる。
【０００８】
請求項５の発明は、請求項１〜４の何れかの発明において、把手挿通部に連通する切欠部が扉の前面側に形成されるとともに、把手本体が切欠部に合わせて切り込み形成され、把手本体との間で切欠部の端縁近傍を挟むように覆う保護片が鍔部に設けられたことを特徴とし、扉の前面側から把手に手をかけることができて扉の開閉操作が容易に行える。また、扉の切欠部を把手の鍔部に設けた保護片で覆っているため、把手に手をかけたときに切欠部のエッジでの怪我が防止できる。
【０００９】
【発明の実施の形態】
以下、図１〜図８を参照して本発明の実施形態を詳細に説明する。なお、本実施形態では、一面が開口する箱体３０内に主幹ブレーカ６１と複数の分岐ブレーカ６２から成る内器ブロック６０が収納される分電盤において、箱体３０の開口を開閉自在に塞ぐ扉２０に把手１を取着する構造を例示するが、これに限定する主旨ではない。
【００１０】
図１は分電盤の全体構成を示す分解斜視図である。この分電盤は住宅の壁面等に埋込又は露出して配設されるもので、前面が開口し壁面等に埋設又は露出して配設される箱体３０と、この箱体３０の開口を開閉自在に塞ぐ扉２０とで構成され、箱体３０内には内器ブロック６０が収納され、先行配線された電線が箱体３０の側壁に設けられたノックアウト部３１を打ち抜いて形成される通線孔を通して箱体３０内に導入されて内器ブロック６０に電気的に接続される。なお、箱体３０及び扉２０は鉄板等の金属製板材を加工して形成される。
【００１１】
内器ブロック６０は、例えば単相３線用の主幹開閉器６１と複数の分岐開閉器６２とを備え、主幹開閉器６１は上下一対のフレーム６３の長手方向の一端で上下フレーム６３を跨ぐように固定されて電線に接続され、分岐開閉器６２は各フレーム６３に横方向に並べて固定される。なお、主幹開閉器６１と各分岐開閉器６２とは帯板状の３本の導電バー（図示せず）によって電気的に接続され、各分岐開閉器６２と導電バーとの接続箇所が絶縁カバー６４によって覆われる。
【００１２】
このように構成される内器ブロック６０は以下のようにして箱体３０内に収納固定される。すなわち、箱体３０の底面に固定された固定板３２の両端にそれぞれ短冊形の支持部材３３を固定ねじ３４によって固定し、各支持部材３３の長手方向両端に設けたねじ孔３３ａに予め締結してあるねじ３５の頭部を、上下フレーム６３の両端に設けただるま孔６３ａに挿通し、このねじ３５を締め付けることで内器ブロック６０を支持部材３３及び固定板３２により箱体３０内に固定する。
【００１３】
一方、箱体３０内における内器ブロック６０の前面は蓋体７０で覆われ、蓋体７０に設けた窓孔７１，７２を通して主幹開閉器６１のハンドル６１ａと分岐開閉器６２のハンドル６２ａとが突出する。この蓋体７０の長手方向両端部には、支持部材３３の長手方向両端外側に一端部がねじ固定された取付部材７４の他端側に突設された爪７４ａが係止される係止孔７３が設けてあり、爪７４ａを係止孔７３に係止することで蓋体７０が取付部材７４に取り付けてある。
【００１４】
ところで、扉２０の一端部は、矩形枠状に形成された枠体４０の長手方向一端部に枢支部４１，４１によって回動自在に枢支され、この枠体４０が取付ねじ４２によって箱体３０の前面に取り付けられており、これにより箱体３０の前面が扉２０によって開閉自在に塞がれるものである。なお、枠体４０を介さずに扉２０を直接箱体３０に枢支するようにしてもよい。
【００１５】
次に本発明の要旨である扉２０への把手１の取着構造について説明する。扉２０には略全周にわたって箱体３０側へ延出する縁片が設けてある。このうち扉２０の枢支された側（枢支部４１側）と反対側の端面から延出する縁片２１に、図１に示すように把手１が外側から挿通される把手挿通孔２２が形成してある。また、図６に示すように、この把手挿通部２２に連通する弧状の切欠部２３が扉２０の前面側に形成してある。
【００１６】
把手１はＡＢＳ樹脂のような合成樹脂で形成され、把手挿通孔２２に挿通されて扉２０の内側面に臨む把手本体２と、把手本体２に連設されて把手挿通孔２２の周縁近傍を外側から覆う鍔部３とを有する。把手本体２は全体として鍔部３側に開口する角筒状であって、把手挿通孔２２に挿通した際に扉２０の前面側に位置する側壁には、扉２０の切欠部２３に合わせた弧状の切り込み部２ａが形成してある。
【００１７】
また、把手本体２の長手方向に対向する両側壁の外側面には、後述する把手固定部材１０がそれぞれ装着される装着部としてのスライド溝４が設けてある。このスライド溝４は、把手本体１の側壁に互いに対向させて突設した断面形状略Ｌ形の一対のリブ４ａ，４ｂの間にできる断面形状略凸字形の隙間から成る（図４参照）。ここで、一方のリブ４ｂはその先端部分で把手本体２と分離されて撓み自在とされており、先端部には鍔部３側へ向かうに従って他方のリブ４ａの方へ突出する係止突起４ｃが突設されている。
【００１８】
一方、把手固定部材１０は、図１に示すように合成樹脂によって基部１１と引掛部１２が一体に形成されている。基部１１の両側端部には断面略扇形の耳部１１ａが突設され、基部１１の他の一側面からはスライド溝４に挿入される挿入片１３が突設されている。さらに、挿入片１３の引掛部１２側の面には、挿入片１３がスライド溝４に挿入された際にリブ４ｂの係止突起４ｃが係止される係止段部１３ａが挿入方向に沿って一対設けてある。
【００１９】
把手１を扉２０に取着するには以下のように行う。まず、把手本体２を扉２０の縁片２１に設けた把手挿通孔２２に外側から挿通する。このとき、把手挿通孔２２の長手方向に対抗する端縁から突設された一対の突起２４がそれぞれ把手本体２のスライド溝４に挿入される（図１及び図３参照）。従って、一対の突起２４がガイドとなって把手本体２を把手挿通孔２２に容易に挿通することができる。
【００２０】
次に、把手１を扉２０の把手挿通孔２２に挿通した状態で、扉２０の内側から一対の把手固定部材１０の挿入片１３を各スライド溝４内に挿入する。このとき、リブ４ｂに突設した係止突起４ｃが挿入片１３の一対の係止段部１３ａを乗り越えて奥側の係止段部１３ａに係止固定されるので、把手本体２のスライド溝４からの把手固定部材１０の抜け止めがなされている。
【００２１】
而して、扉２０の把手挿通孔２２に把手本体２を挿通し、把手本体２の両側に設けたスライド溝４にそれぞれ把手固定部材１０を装着することにより、図３に示すように、これら一対の把手固定部材１０と把手１の鍔部３との間で扉２０の縁片２１が挟持され、把手固定部材１０によって扉２０に対する把手本体２の抜け止めがなされて把手１が扉２０に取着されるのである。しかも、図３に示すように把手固定部材１０の挿入片１３が把手挿通孔２２の端縁から突設されスライド溝４に挿入された突起２４に当接するから、突起２４が挿入片１３と把手１の鍔部３との間で挟持されて把手１を扉２０に強固に取着することができる。また、把手固定部材１０の両耳部１１ａ上面には扉２０の内側面に当接する当接部１４が突設してある。このため、後述するように扉２０を閉じて把手固定部１０の引掛部１２を係合部材５０に係止固定する際に引掛部１２にかかる押圧力を当接部１４を介して扉２０で受けることができ、把手１の変形が防止できるという利点がある。
【００２２】
ここで、一対の把手固定部材１０を各々同一形状及び同一寸法に形成してある。このため、各把手固定部材１０が把手本体２のどちら側のスライド溝４にも装着することが可能となり、把手１の取着作業がさらに容易になるとともに、一対の把手固定部材１０を共通部品とすることで形状の異なる把手固定部材１０を製作する必要がないために部品点数の削減によるコストダウンが図れるという利点がある。
【００２３】
ところで、図６に示すように把手本体２の前面側側壁に弧状の切り込み部２ａが形成してあるため、扉２０の前面側から把手１に手をかけることができて扉２０の開閉操作が容易に行えるようになっている。また、把手本体２との間で扉２０の切欠部２３の端縁近傍を挟むように覆う保護片５が鍔部３から切り込み部２ａに沿って延設してある。このため、扉２０の切欠部２３を保護片５で覆うことによって、把手１に手をかけたときに切欠部２３のエッジで手に怪我をすることが防止できる。
【００２４】
最後に把手固定部材１０に設けた引掛部１２を係合部材５０に係止固定して扉２０を閉じた状態で箱体３０に固定する構造について説明する。図２〜図４に示すように係合部材５０は、扉２０の縁片２１に対向する枠体４０の一側片に取り付けてあり、枠体４０側へ突出する一対の保持片５１と、この保持片５１に連なる基片５２と、基片５２の両側端部から保持片５１と略並行に突出する断面形状略Ｌ形の一対の爪片５３とが弾性を有する合成樹脂により一体に形成されている。この保持片５１の先端部には断面略く字形の係合部５１ａが設けてある。それに対して引掛部１２の先端部両側面には引掛突起１２ａが突設されている。而して、係合部材５０の前面開口５０ａから引掛部１２を挿入すると、引掛部１２の先端部に突設された引掛突起１２ａが保持片５１の係合部５１ａに弾性係合し、これによって引掛部１２が保持片５１によって保持される。また、把手１を持って扉２０を開く方向に引っ張れば、引掛部１２の移動に伴って弾性を有する保持片５１が撓み、やがて引掛部１２の引掛突起１２ａと保持片５１の係合部５１ａとの係合が外れて引掛部１２が係合部材５０から離脱する。なお、枠体４０の一側片に穿孔される取付孔４３に保持片５１と爪片５３とを挿通し、基片５２の両端部と爪片５３とで取付孔４３の周縁を挟持して、係合部材５０が枠体４０に取り付けられる（図４参照）。
【００２５】
上述のような本発明の取着構造によれば、従来例と異なり、ねじを使わずに把手１を扉２０に取着することができるため、把手１の取着作業が容易になり、しかも、把手１を取着するための把手挿通孔２２は扉２０の縁片２１のごく一部に形成すればよいから、従来例に比較して扉２０の強度を上げることが可能となる。
【００２６】
【発明の効果】
請求項１の発明は、一端側で箱体に対して回動自在に枢支する枢支部が設けられるとともに箱体の開口を閉じた状態で係止固定される引掛部が他端側に設けられ、且つ枢支部とは反対側の端面に箱体側へ延出する縁片を備えた扉に把手を取着する把手の取着構造において、扉の縁片に把手が外側から挿通される把手挿通孔が形成され、把手は、把手挿通孔に挿通されて扉の内側面に臨む把手本体と、この把手本体に連設されて把手挿通孔の周縁近傍を外側から覆う鍔部とを具備して成り、引掛部は、把手本体の両側面に設けられた装着部に各々扉の内側から装着される一対の把手固定部材に設けられ、これら一対の把手固定部材と鍔部との間で扉の縁片が挟持されるので、ねじを使わずに把手を扉に取着することができて取着作業が容易になり、しかも、把手を取着するための把手挿通孔は扉の縁片のごく一部に形成すればよいから、従来例に比較して扉の強度を上げることが可能となるという効果がある。
【００２７】
請求項２の発明は、把手本体に設けられる装着部はスライド溝から成り、このスライド溝に挿入される挿入片が把手固定部材に形成され、把手本体のスライド溝内に挿入されて挿入片と鍔部との間に狭持される突起が扉の把手挿通孔の端縁から突設されるので、スライド溝内に挿入されて挿入片と鍔部との間に狭持される突起に把手固定部材の挿入片が当接することとなり、把手を扉に強固に取着することができるという効果がある。
【００２８】
請求項３の発明は、一対の把手固定部材が各々同一形状に形成されたので、一対の把手固定部材を把手本体のどちら側の装着部にも装着することが可能となり、把手の取着作業がさらに容易になるとともに部品点数の削減によるコストダウンが図れるという効果がある。
請求項４の発明は、把手固定部材を把手本体の装着部に装着した状態で扉の内側面に当接する当接部が把手固定部材に設けられたので、扉を閉じて引掛部を係止固定する際に引掛部にかかる押圧力を当接部を介して扉で受けることができ、把手の変形が防止できるという効果がある。
【００２９】
請求項５の発明は、把手挿通部に連通する切欠部が扉の前面側に形成されるとともに、把手本体が切欠部に合わせて切り込み形成され、把手本体との間で切欠部の端縁近傍を挟むように覆う保護片が鍔部に設けられたので、扉の前面側から把手に手をかけることができて扉の開閉操作が容易に行えるという効果がある。また、扉の切欠部を把手の鍔部に設けた保護片で覆っているため、把手に手をかけたときに切欠部のエッジでの怪我が防止できるという効果がある。
【図面の簡単な説明】
【図１】本発明の実施形態を示し、把手の扉への取着構造を示す一部省略した分解斜視図である。
【図２】同上における分電盤の分解斜視図である。
【図３】同上の要部の断面図である。
【図４】同上の要部の断面図である。
【図５】同上の把手を扉に取着した状態の一部省略した裏面図である。
【図６】同上の把手を扉に取着した状態の一部省略した正面図である。
【図７】同上における分電盤の断面図である。
【図８】同上における分電盤の側面図である。
【図９】従来例の要部断面図である。
【符号の説明】
１  把手
２  把手本体
３  鍔部
４  スライド溝
１０  把手固定部材
１２  引掛部
２０  扉
２１  縁片
２２  把手挿通孔
３０  箱体
４０  枠体
４１  枢支部
５０  係合部材
【図１】
0003591287.tif 000002
【図２】
0003591287.tif 000003
【図３】
0003591287.tif 000004
【図４】
0003591287.tif 000005
【図５】
0003591287.tif 000006
【図６】
0003591287.tif 000007
【図７】
0003591287.tif 000008
【図８】
0003591287.tif 000009
【図９】
0003591287.tif 000010